(57)【要約】      （修正有）【課題】扉の鍵穴を無くし、ピッキングや破壊による侵入を防止した盗難防止用の錠を提供する。【解決手段】玄関扉上部と中央部に設けたデッドボルト４の側面にラック８を固定し、ラックと噛み合うピニオン歯車１４をウォームギヤ１５に接続して、円盤に両面四極円柱形永久磁石１を６個割り付けた多極回路１０ａの中心穴をウォームギヤの軸に固定するとともに、デッドボルトの後方にロック回路止め金具７Ｃを取り付け、両面二極円柱形永久磁石６ａ、６ｂを備えたロック回路６によりデッドボルトを突出状態でロック可能とした。扉外部から外部磁石によりロック回路をロック解除し、多極回路と同じ外部多極回路を近づけて回転させるとデッドボルトが出没する。工具で玄関扉の中央部の鍵の付近を壊されても、ピニオン歯車とウォームギヤの間に設けたＷｈｅｅｌ  Ａｘｌｅ１６の軸が外れて、上部のデッドボルトはそのまま残り、玄関扉を開ける事ができない。【選択図】図５
2007040082.tif 000002
【特許請求の範囲】
【請求項１】
図３ａに示すように、デットボルト（４）とストライク（３）及びデットボルト（４）を支える容器（５）、
該ストライク（３）の中へデットボルト（４）を挿入する時に、デットボルト（４）の側面にある長さのラック（８）をネジで固定した。ストライク（３）の中からデットボルト（４）を抽出する時、デットボルト（４）の側面に取り付けてあるラック（８）が往復直線運動するには、ラック（８）と噛み合う相手の平歯車（９）が時計方向あるいは反時計方向に回転すればよい。
このような動作を自動的にするために、図２ａに示すように、誘電体材料を円盤に加工して６等分に割り付けて、両面四極円柱形永久磁石（１）が挿入できる穴をあける。図３ａに示すように、その穴に両面四極円柱形永久磁石（１）を挿入した。
両面四極円柱形永久磁石を６個用いた多極回路（１０ａ）の中心穴を平歯車（９）の軸に挿入して固定する。
両面四極円柱形永久磁石を６個用いた多極回路（１０ａ）を時計方向或いは反時計方向に回転すれば、平歯車（９）も同時に回転する。平歯車（９）が回転すれば、ラック（８）が往復直線運動する。この往復直線運動でデットボルト（４）は挿入と抽出を繰り返す。デットボルト（４）の挿入と抽出を繰り返すようにするには、両面四極円柱形永久磁石を６個用いた多極回路（１０ａ）と同じ外部多極回路を作成する。玄関扉の室外アルミニウム板の表面に沿って外部多極回路を多極回路（１０ａ）に近づけると、異極間には吸引力が働く。この吸引力で外部多極回路を時計方向或いは反時計方向に回転すると、両面四極円柱形永久磁石を６個用いた多極回路（１０ａ）も回転する。この回転で、デットボルト（４）は挿入と抽出を繰り返して玄関扉が開閉する。
もし、家人が両面四極円柱形永久磁石を６個用いた外部多極回路を紛失して他人の手に渡って悪利用されても、玄関扉が開閉しないようにすることができる。図２ｂに示すように、６箇の両面四極円柱形永久磁石（１）の斜線（磁極面の磁極Ｎ極）と斜線の無い（磁極面の磁極Ｓ極）境界線の傾き角度を変える。磁極面の磁極はＮ極と磁極面の磁極はＳ極の位置が同時に変わって、多極回路（１０ａ）と外部多極回路は合わなくなる。よって、玄関扉を開閉する事ができない。多極回路は膨大な数の暗証番号の組み合わせをする事ができる。また、玄関扉の開閉の振動で多極回路（１０ａ）に用いている両面四極円柱形永久磁石の側面をネジで止めてズレを起きないようにしてある。しかし一日何十回の玄関扉の開閉が何ケ月も経過して少しズレると、暗証番号の組み合わせは変わる。その対策として図２ｃに示すように、両面四極八角柱形永久磁石（２）を用いる。両面四極八角柱形永久磁石（２）を用いれば、玄関扉の開閉の振動でズレる心配はない。
もし、万一暗証番号を解読されても、簡単に玄関扉が開閉できないように２重ロック回路も設けた。２重ロック回路の動作を詳細に述べる。
適当な厚みの金属板（６Ａ）を図３ｂに示すように加工した。図３ａに示すように、デットボルト（４）の後方にロック回路止め金具（７ｃ）をネジで取り付けた。
図３ａに示すように、デットボルト（４）を支える容器（５）の側面に、ロック回路が自由に可動できるように軸受け（７ｄ）を設けた。
図３ｂに示すように、適当な厚みの金属板のロック回路（６Ａ）の先端の上に誘電体容器の中に両面二極円柱形永久磁石（６ａ）を接合剤で接合した。永久磁石（６ａ）の上部の磁極面の磁極はＮ極で、下部の磁極面の磁極はＳ極である。ロック回路（６Ａ）が上にあがっても、直ぐ下にさがるように、永久磁石（６ａ）の下部に永久磁石（７ａ）を置いた。その両面二極長方形永久磁石（７ａ）の上部の磁極面の磁極はＮ極であり、永久磁石（６ａ）の下部の磁極面の磁極はＳ極で、異極間には吸引力が働く。この吸引力でロック回路（６Ａ）はロックされたままになる。
ロック回路（６Ｂ）の先端の上に誘電体容器の中に両面二極円柱形永久磁石（６ｂ）を接合剤で接合した。永久磁石（６ｂ）の上部の磁極面の磁極はＳ極で、下部の磁極面の磁極はＮ極である。ロック回路（６Ａ）が上にあがっても、直ぐ下にさがるように、永久磁石（６ｂ）の下部に永久磁石（７ｂ）を置いた。その両面二極長方形永久磁石（７ｂ）の磁極面の磁極はＳ極であり、永久磁石（６ｂ）の下部の磁極面の磁極はＮ極である。故に、異極間には吸引力が働く。この吸引力でロック回路（６Ｂ）はロックされたままになる。
多極回路（１０ａ）を反時計方向に回転すると、デットボルト（４）は抽出しようとしても停止したままになる。それは図３ｂに示すように、ロック回路（６Ａと６Ｂ）は釣り具の銛のように逆さ向きにとがった形にした。この逆さ向きにとがった形の部分がロック回路止め金具（７ｃ）に引っかかり、デットボルト（４）は抽出できない。換言すれば、デットボルト（４）はロックされたままである。逆さ向きにとがった形の部分をロック回路止め金具（７ｃ）から離なすと、デットボルト（４）は抽出できる。この状態をロック解除と言う。
ロック回路止め金具（７ｃ）にロック回路（６Ａと６Ｂ）の釣り具の銛のように、逆さ向きにとがった形の部分を引っかけたり、離したりを自動的にする方法を詳細に述べる。
ロックを解除する方法は外部磁石を２個用いて一つの磁極面の磁極をＳ極にし、もう一方の磁極面の磁極をＮ極にする。これらの２個の磁石を一対にする。一対の磁石を玄関扉の室外アルミニウムの表面から永久磁石（６ａ）と（６ｂ）の位置に近づけると、ロック回路（６Ａと６Ｂ）は室外アルミニウムの表面に引き寄せられる。この状態をロックを解除したと言う。
もし、両面二極永久磁石の磁極面の磁極をＳ極にして、この外部磁石の磁極面の磁極Ｓ極を１個用いて、玄関扉の室外アルミニウムの表面から永久磁石（６ａ）と（６ｂ）の位置に近づける。永久磁石（６ａ）のＮ極と外部磁石のＳ極は異極間になるので、吸引力が働く。この吸引力でロック回路（６Ａ）は室外アルミニウムの表面に引き寄せられる。
一方の永久磁石（６ｂ）の磁極面の磁極はＳ極である。永久磁石（６ｂ）のＳ極に外部磁石Ｓ極を近づけると同極間になるので、反発力が働く。この反発力でロック回路（６Ｂ）は室外アルミニウムの表面に引き寄せられない。デットボルト（４）はロックされたままである。
両面二極の外部磁石の磁極面の磁極をＮ極にして、この外部磁石の磁極面の磁極Ｎ極を１個用いて、玄関扉の室外アルミニウムの表面から永久磁石（６ａ）と（６ｂ）の位置に近づける。永久磁石（６ａ）のＮ極と外部磁石のＮ極は同極間になるので、反発力が働く。この反発力でロック回路（６Ａ）は室外アルミニウムの表面に引き寄せられない。デットボルト（４）はロックされたままである。
一方の永久磁石（６ｂ）の磁極面の磁極はＳ極である。永久磁石（６ｂ）のＳ極に外部磁石Ｎ極を近づけると異極間になるので、吸引力が働く。この吸引力でロック回路（６Ｂ）は室外アルミニウムの表面に引き寄せられる。しかし、デットボルト（４）はロックされたまま。上に述べたように外部磁石を２個用いて、２個の磁石を一対にする。この一対の磁石を玄関扉の室外アルミニウムの表面から永久磁石（６ａと６ｂ）の位置に近づけないと、ロック回路を解除できない。
以上述べたように２重ロック回路は安心な生活を送るために、防犯に十分に配慮している。
盗難防止用鍵の安全性をより一層高めるために、両面四極永久磁石を用いた多極回路（１０ａ）用いると、膨大な数の暗証番号の組み替えができる。さらに安全性を高めるに２重ロック回路を採用した。
簡単な回路構成で出来る信頼性の高い高性能盗難防止用鍵の装置。
【請求項２】
図４に示すように、デットボルト（４）とストライク（３）及びデットボルト（４）を支える容器（５）、
該ストライク（３）の中へデットボルト（４）を挿入する時に、デットボルト（４）の側面にある長さのラック（８）をネジで固定した。ストライク（３）の中からデットボルト（４）を抽出する時、デットボルト（４）の側面に取り付けてあるラック（８）が往復直線運動するには、ラック（８）と噛み合う相手の平歯車（９）が時計方向あるいは反時計方向に回転すればよい。
このような動作を自動的にするために、図２ａに示すように、誘電体材料を円盤に加工して６等分に割り付けて、両面四極円柱形永久磁石（１）が挿入できる穴をあける。図４に示すように、その穴に両面四極円柱形永久磁石（１）を挿入した。
両面四極円柱形永久磁石を６個用いた多極回路（１０ａ）の中心穴を平歯車（９）の軸に固定する。
両面四極円柱形永久磁石を６個用いた多極回路（１０ａ）を時計方向或いは反時計方向に回転すれば、平歯車（９）も同時に回転する。平歯車（９）が回転すれば、ラック（８）が往復直線運動し、デットボルト（４）は挿入と抽出を繰り返す。デットボルト（４）の挿入と抽出を繰り返すようにするには、両面四極円柱形永久磁石を６個用いた多極回路（１０ａ）と同じ外部多極回路を作成する。玄関扉の室外アルミニウム板の表面に沿って外部多極回路を多極回路（１０ａ）に近づけると、異極間になって、吸引力が働く。この吸引力で外部多極回路を時計方向或いは反時計方向に回転する。両面四極円柱形永久磁石を６個用いた多極回路（１０ａ）は回転する。この回転で、デットボルト（４）は挿入と抽出を繰り返して、玄関扉が開閉する。
もし、家人が両面四極円柱形永久磁石を６個用いた外部多極回路を紛失して他人の手に渡って悪利用されても、玄関扉が開閉しないようにすることができる。図２ｂに示すように６箇の両面四極円柱形永久磁石（１）の斜線（磁極面の磁極はＮ極）と斜線の無い（磁極面の磁極はＳ極）境界線の傾き角度を変える。磁極面の磁極はＮ極と磁極面の磁極はＳ極の位置が同時に変わって、多極回路（１０ａ）と外部多極回路は合わなくなる。玄関扉を開閉する事ができない。多極回路は膨大な数の暗証番号の組み合わせをする事ができる。また玄関扉の開閉の振動で多極回路（１０ａ）に用いている両面四極円柱形永久磁石の側面をネジで止めてズレを起きないようにしてある。しかし一日何十回の玄関扉の開閉が何ヶ月も経過して少しズレると、暗証番号の組み合わせが変わる。その対策として、図２ｃに示すように、両面四極八角柱形永久磁石（２）を用いれば、玄関扉の開閉の振動で両面四極八角柱形永久磁石（２）はズレる心配はない。
もし、万一暗証番号を解読されても、簡単に暗証番号を変えることができるので、玄関扉は開閉できない。さらに安全性を高めるにロック回路（１３ａ）も設けた。このロック回路（１３ａ）の動作を詳細に述べる。
図４示すように、デットボルト（４）と直角９０°の位置にロック回路（１３ａ）を置いた。ロック回路（１３ａ）の先端にベアリング（１２）を取り付けた。ロック回路（１３ａ）の先端はデットボルト（４）の側面に当たるようにした。ロック回路（１３ａ）を支える容器（１３ｂ）であり、ロック回路（１３ａ）が滑らかに可動するよにした。ロック回路（１３ａ）の側面にある長さのラック（８）をネジで固定した。
ロック回路（１３ａ）を挿入と抽出をするとき、ロック回路（１３ａ）の側面に取り付けてあるラック（８）が往復直線運動する。この往復直線運動でラック（８）と噛み合う相手の平歯車（９）が時計方向あるいは反時計方向に回転すれば良い。
このような動作を自動的にするには、図４に示すように、誘電体材料を円盤に加工して８等分に割り付けて両面二極円柱形永久磁石（１１）が挿入できる穴をあける。図４に示すように、その穴に両面二極円柱形永久磁石（１１）を挿入した。
両面二極円柱形永久磁石（１１）を８個用いた多極回路（１０ｂ）の中心穴を平歯車（９）の軸に挿入してネジで固定した。
両面二極円柱形永久磁石（１１）を８個用いた多極回路（１０ｂ）を時計方向あるいは反時計方向に回転すれば、平歯車（９）も同時に回転する。平歯車（９）が回転すれば、ラック（８）が往復直線運動する。この往復直線運動でロック回路（１３ａ）は抽出する。
図４に示すように、デットボルト（４）が完全に挿入した時にデットボルト（４）はロックされたままになる。このような状態にすれば安全性の高い盗難防止用鍵になる。
この鍵の動作を詳細に述べる。
デットボルト（４）を完全に抽出した位置から徐々に挿入すると、ロック回路（１３ａ）の先端に取り付けたベアリング（１２）はデットボルト（４）の側面に沿って回転する。デットボルト（４）が完全に挿入してしまうと、デットボルト（４）の横幅は標準の寸法から急に１／２の横幅にしてある。その横幅１／２の位置にロック回路（１３ａ）がくると、ロック回路（１３ａ）自身の重さと地球の重力が加わって垂直に落下する。
デットボルト（４）を完全に抽出しようとしても停止したままとなる。この状態をデットボルト（４）がロックされたままである。
玄関扉を開けるにはデットボルト（４）を完全に抽出しなければならない。そのためにはロック回路（１３ａ）を抽出する動作を説明する。
ロック回路（１３ａ）の挿入と抽出を繰り返すようにするには、両面二極円柱形永久磁石を８箇用いた多極回路（１０ｂ）と同じ外部多極回路を作成する。玄関扉の室外アルミニウム板の表面に沿って外部多極回路を多極回路（１０ｂ）に近づけると、両者間には吸引力が生じる。この吸引力で外部多極回路を時計方向或いは反時計方向に回転すると、両面二極円柱形永久磁石を８箇用いた多極回路（１０ａ）は回転する。この回転でロック回路（１３ａ）を抽出してロック回路は解除できる。
以上詳細に述べたように、ロック回路は安心な生活を送るために、防犯には十分に配慮している。
盗難防止用鍵の安全性をより一層高めるために、膨大な数の暗証番号の組み替えができる両面四極永久磁石を用いた多極回路（１０ａ）が必要である。さらに安全性を高めるにロック回路も採用した。
簡単な回路構成で出来る信頼性の高い高性能盗難防止用鍵の装置。
【請求項３】
図５に示すように、デットボルト（４）とストライク（３）及びデットボルトを支える容器（５）、
該ストライク（３）の中へデットボルト（４）を挿入する時に、デットボルト（４）の側面にある長さのラック（８）をネジで固定した。ストライク（３）の中からデットボルト（４）を抽出する時、デットボルト（４）の側面に取り付けてあるラック（８）が往復直線運動するには、ラック（８）と噛み合う相手のピニオン歯車（１４）が時計方向あるいは反時計方向に回転すれば良い。
このような動作を自動的にするために、図２ａに示すように、誘電体材料を円盤に加工して６等分に割り付けて両面四極円柱形永久磁石（１）が挿入できる穴をあける。図５に示すように、その穴に両面四極円柱形永久磁石（１）を挿入した。
両面四極円柱形永久磁石を６個用いた多極回路（１０ａ）の中心穴をウォームギヤ（１５）の軸に固定する。
両面四極円柱形永久磁石を６個用いた多極回路（１０ａ）を時計方向或いは反時計方向に回転すればウォームギヤ（１５）も同時に回転する。ウォームギヤ（１５）が回転すれば、ラック（８）が往復直線運動する。この往復直線運動でデットボルト（４）は挿入と抽出を繰り返す。デットボルト（４）の挿入と抽出を繰り返すようにするには、両面四極円柱形永久磁石を６個用いた多極回路（１０ａ）と同じ外部多極回路を作成する。玄関扉の室外アルミニウム板の表面に沿って外部多極回路を多極回路（１０ａ）に近づけると、異極間には吸引力が生じる。この吸引力で外部多極回路を時計方向或いは反時計方向に回転すると、両面四極円柱形永久磁石を６個用いた多極回路（１０ａ）は回転する。この回転でデットボルト（４）は挿入と抽出を繰り返して、玄関扉が開閉する。
もし、家人が両面四極円柱形永久磁石を６個用いた外部多極回路を紛失して他人の手に渡って悪利用されても、玄関扉が開閉しないようにする事ができる。図２ｂに示すように、６箇の両面四極円柱形永久磁石（１）の斜線（磁極面の磁極Ｎ）と斜線の無い（磁極面の磁極Ｓ）境界線の傾き角度を変える。傾き角度を変えと、磁極面の磁極はＮと磁極面の磁極はＳの位置が同時に変わって、多極回路（１０ａ）と外部多極回路は合わなくなって、玄関扉が開閉する事が出来ない。多極回路は膨大な数の暗証番号の組み合わせをする事ができる。また、玄関扉の開閉の振動で多極回路（１０ａ）に用いている両面四極円柱形永久磁石の側面をネジで止めて、ズレを起きないようにしている。しかし一日何十回の玄関扉の開閉が何ケ月も経過して少しズレると、暗証番号の組み合わせが変わる。その対策として、図２ｃに示すように、両面四極八角柱形永久磁石（２）を用いる。両面四極八角柱形永久磁石（２）を用いれば、玄関扉の開閉の振動でズレる心配はない。
もし、万一暗証番号を解読されても、簡単に玄関扉が開閉出来ないように２重ロック回路も設けた。２重ロック回路の動作を詳細に述べる。
適当な厚みの金属板（６Ａ）を図３ｂに示すように加工した。図３ａに示すようにデットボルト（４）の後方にロック回路止め金具（７ｃ）をネジで取り付けた。
図３ａに示すように、デットボルト（４）を支える容器（５）の側面にロック回路が自由に可動出来るように軸受け（７ｄ）を設けた。
図３ｂに示すように、適当な厚みの金属板のロック回路（６Ａ）の先端の上に、誘電体容器の中に両面二極円柱形永久磁石（６ａ）を接合剤で接合した。永久磁石（６ａ）の上部の磁極面の磁極はＮ極で、下部の磁極面の磁極はＳ極である。ロック回路（６Ａ）が上にあがっても、直ぐ下にさがるように、永久磁石（６ａ）を下部に永久磁石（７ａ）を置いた。その両面二極長方形永久磁石（７ａ）の上部の磁極面の磁極はＮ極であり、永久磁石（６ａ）の下部の磁極面の磁極はＳ極で、異極間には吸引力が働く。この吸引力でロック回路（６Ａ）はロックされたままになる。
図３に示すように、ロック回路（６Ｂ）の先端の上に誘電体容器の中に両面二極円柱形永久磁石（６ｂ）を接合剤で接合した。永久磁石（６ｂ）の上部の磁極面の磁極はＳ極で、下部の磁極面の磁極はＮ極である。ロック回路（６Ａ）が上にあがっても直ぐ下にさがるように、永久磁石（６ｂ）を下部に永久磁石（７ｂ）を置いた。その両面二極長方形永久磁石（７ｂ）の磁極面の磁極はＳ極であり、永久磁石（６ｂ）の下部の磁極面の磁極はＮ極で、異極間には吸引力が働く。この吸引力でロック回路（６Ｂ）はロックされたままになる。
多極回路（１０ａ）を反時計方向に回転すると、デットボルト（４）は抽出しようとしても停止したままになる。それは図３に示すように、ロック回路（６Ａと６Ｂ）は釣り具の銛のように逆さ向きにとがった形にして、この逆さ向きにとがった形の部分がロック回路止め金具（７ｃ）に引っかかり、デットボルト（４）は抽出できない。換言すれば、デットボルト（４）はロックされたままである。逆さ向きにとがった形の部分をロック回路止め金具（７ｃ）から離すと、デットボルト（４）は抽出できる。この状態をロック解除と言う。
ロック回路止め金具（７ｃ）にロック回路（６Ａと６Ｂ）の釣り具の銛のように、逆さ向きにとがった形の部分を引っかけたり離したりを自動的にする方法を詳細に述べる。
ロックを解除する方法は外部磁石を２個用いて一つの磁極面の磁極をＳ極にし、もう一方の磁極面の磁極をＮ極にする。これらの２個の磁石を一対にして、玄関扉の室外アルミニウムの表面から永久磁石（６ａ）と（６ｂ）の位置に近づけると、ロック回路（６Ａと６Ｂ）は室外アルミニウムの表面に引き寄せられる。この状態をロックを解除したと言う。
もし両面二極外部磁石の磁極面の磁極をＳ極にして、この外部磁石の磁極面の磁極Ｓ極を１個用いて、玄関扉の室外アルミニウムの表面から永久磁石（６ａ）と（６ｂ）の位置に近づける。永久磁石（６ａ）のＮ極と外部磁石のＳ極は異極間になるので、吸引力が働く。この吸引力でロック回路（６Ａ）は室外アルミニウムの表面に引き寄せられる。
一方の永久磁石（６ｂ）の磁極面の磁極はＳ極である。永久磁石（６ｂ）のＳ極に外部磁石Ｓ極を近づけると同極間になるので、反発力が働く。この反発力でロック回路（６Ｂ）は室外アルミニウムの表面に引き寄せられない。ゆえにロック回路（６Ｂ）が残るので、デットボルト（４）はロックされたままである。
両面二極の外部磁石の磁極面の磁極をＮ極にして、この外部磁石の磁極面の磁極Ｎ極を１個用いて、玄関扉の室外アルミニウムの表面から永久磁石（６ａ）と（６ｂ）の位置に近づける。永久磁石（６ａ）のＮ極と外部磁石のＮ極は同極間になるので、反発力が働く。この反発力でロック回路（６Ａ）は室外アルミニウムの表面に引き寄せられない。デットボルト（４）はロックされたままである。
一方の永久磁石（６ｂ）の磁極面の磁極はＳ極である。永久磁石（６ｂ）のＳ極に外部磁石Ｎ極を近づけると異極間になるので、吸引力が働く。この吸引力でロック回路（６Ｂ）は室外アルミニウムの表面に引き寄せられる。しかし、デットボルト（４）はロックされたままです。
盗難防止用鍵の安全性をより一層高めるために、両面四極永久磁石を用いた多極回路（１０ａ）を用いると、数多くの暗証番号の組み替えができる。さらに安全性を高めるに２重ロック回路も採用した。
いかなる方法を講じて玄関扉が開かないようにしても、破壊されて侵入する時もありうる。
盗難防止用鍵の安全性をより一層高めるために、膨大な数の暗証番号の組み替えできる多極回路（１０ａ）が必要になる。さらにロック回路（１３ａ）も採用した。
高性能盗難防止用鍵の装置であってもバールで玄関扉の鍵の付近を壊されても、室内に侵入できない新しい盗難防止用鍵の装置を考案した。
図５に示すように、玄関扉の上部と中央部の２カ所の鍵が１箇の多極回路（１０ａ）で同時に作動するようにした。上部の鍵を作動する回転軸の途中にＷｈｅｅｌ  Ａｘｌｅを設けて中央部の鍵が破壊されても、上部の鍵はそのまま残るので室内の侵入を防ぐ事が出来る。
この盗難防止用鍵の動作について詳細に述べる。
図５に示すように、デットボルト（４）とストライク（３）及びデットボルトを支える容器（５）、
該ストライク（３）の中へデットボルト（４）を挿入する時に、デットボルト（４）の側面にある長さのラック（８）をネジで固定した。ストライク（３）の中からデットボルト（４）を抽出する時、デットボルト（４）の側面に取り付けてあるラック（８）が往復直線運動するには、ラック（８）と噛み合う相手のピニオン歯車（１４）が時計方向あるいは反時計方向に回転すればよい。
ピニオン歯車（１４）を時計方向或いは反時計方向に回転する軸の途中にＷｈｅｅｌ  Ａｘｌｅ（１６）を接合してウォームギヤ（１５）の軸に接続した。
図５に示すように、Ｗｈｅｅｌ  Ａｘｌｅ（１６）の軸は回転しても空回りしないようにピンで押さえ、相手の軸に挿入してある。
両面四極円柱形永久磁石を６個用いた多極回路（１０ａ）を時計方向或いは反時計方向に回転すれば、ウォームギヤ（１５）も同時に回転する。ウォームギヤ（１５）が回転すれば、上部と中央のラック（８）が往復直線運動すると上部と中央のデットボルト（４）は同時に挿入と抽出を繰り返す。上部と中央のデットボルト（４）の挿入と抽出を繰り返すようにするには、図５に示すように両面四極円柱形永久磁石を６個用いた多極回路（１０ａ）と同じ外部多極回路を作成する。玄関扉の室外アルミニウム板の表面に沿って外部多極回路を多極回路（１０ａ）に近づけると、異極間には吸引力が働く。この吸引力で外部多極回路を時計方向或いは反時計方向に回転すると、両面四極円柱形永久磁石を６個用いた多極回路（１０ａ）は回転する。この回転で上部と中央のデットボルト（４）は同時に挿入と抽出を繰り返して玄関扉が開閉する。
バールで玄関扉の中央の鍵の付近を壊された時に、その時の状態でウォームギヤ（１５）も含まれる。ウォームギヤ（１５）が壊れるとＷｈｅｅｌ  Ａｘｌｅ（１６）の軸が直ぐはずれるように設計してある。Ｗｈｅｅｌ  Ａｘｌｅ（１６）の軸が外れるだけで、上部の鍵はそのまま残るので、玄関扉を開ける事ができない。
盗難防止用鍵の安全性をより一層高めるために、両面四極永久磁石を用いた多極回路（１０ａ）を用いると、膨大な数の暗証番号の組み替えができる。さらに安全性を高めるに２重ロック回路（６ａと６ｂ）と上部の鍵にＷｈｅｅｌ  Ａｘｌｅ（１６）の軸を採用した。
簡単な回路構成で出来る信頼性の高い高性能盗難防止用鍵の装置。
【発明の詳細な説明】
【技術分野】
【０００１】  本発明は、図１に示すように、玄関扉に鍵穴はなく、扉の室外にはハンドルだけがある。玄関扉の室外と室内のアルミニウム板の枠内にロック回路を用いた高性能盗難防止用鍵を装荷し、両面四極永久磁石を用いて室外から玄関扉を開閉できる高性能盗難防止用鍵に関するものである。
【背景技術】
【０００２】  従来から、玄関扉にはシリンダが取り付けられ、更に補助鍵が取り付けられてある。鍵穴に鍵を挿入して開錠し、玄関扉を開閉する最も代表的な鍵が採用されている。【０００３】  現在、騒がれてピッキングと玄関扉の外側の一部に電動ドリルで穴をあけて細い針金を挿入してサムターン回しをするか、電動ドリルで鍵穴を壊して開錠する方法または鍵のにぎりを壊して玄関扉を開けて侵入する場合が多い。
【発明の開示】
【発明が解決しようとする課題】
【０００４】  従って、本発明は３種類の高性能盗難防止用鍵を考案した。これらの高性能盗難防止用鍵は安心な生活を送るために、防犯には十分に配慮している。
最初の信頼性の高い高性能盗難防止用鍵の装置は図３に示す。高性能盗難防止用鍵の安全性をより一層高めるために、膨大な数の暗証番号の組み替えできる両面四極永久磁石を用いた多極回路（１０ａ）を用いた。さらに２重ロック回路も採用した。
２番目の信頼性の高い高性能盗難防止用鍵の装置は図４に示す。高性能は盗難防止用鍵の安全性をより一層高めるために、膨大な数の暗証番号の組み替えができる両面四極永久磁石を用いた多極回路（１０ａ）を用いた。さらに両面二極永久磁石を８個用いた多極回路（１０ｂ）を用いて、１重の頑丈なロック回路を挿入と抽出できるようにした。
３番目の信頼性の高い高性能盗難防止用鍵は図５に示した。高性能盗難防止用鍵の安全性をより一層高めるために、膨大な数の暗証番号の組み替えができる両面四極永久磁石を用いた多極回路（１０ａ）を用いた。上部と中央部の鍵を１個の多極回路（１０ａ）で挿入と抽出できる。さらに、２重ロック回路（６ａと６ｂ）と上部の鍵にＷｈｅｅｌ  Ａｘｌｅ（１６）の軸を採用した。これら３種類の信頼性の高い高性能盗難防止用鍵を考案した。これらの３種類の信頼性の高い高性能盗難防止用鍵を用いると、玄関扉の室外表面には鍵穴はなく、玄関扉の右側あるいは左側にはハンドルだけが取り付けてある。
使用する家人が３種類の信頼性の高い高性能盗難防止用鍵の内１つを選択して玄関扉の室外と室内のアルミニウム板の枠内に信頼性の高い高性能盗難防止用鍵を装荷する。
盗難防止用鍵の安全性をより一層高めるために、膨大な数の暗証番号の組み替えができる両面四極永久磁石を用いた多極回路（１０ａ）が必要である。さらに、２重ロック回路（６ａと６ｂ）と上部の鍵にＷｈｅｅｌ  Ａｘｌｅ（１６）の軸を採用した。ゆえに簡単に玄関扉を開けることができない。賊の侵入を防ぐ信頼性の高い高性能盗難防止用鍵を実現することを目的とする。
【課題を解決しようとする手段】
【０００５】  上記の目的を達成するために、本発明に拘わる最初の鍵穴の無い玄関扉に取り付ける信頼性の高い高性能盗難防止用鍵の構造を図３に示す。固定した玄関扉に取り付けたストライク（３）に中へデットボルト（４）を挿入する時に、玄関扉は鍵が掛かった状態になる。玄関扉を強く引いてもデットボルト（４）が強度に十分耐えられるように容器（５）で支えた。
ストライク（３）の中へデットボルト（４）が挿入する時の動作について詳細に述べる。デットボルト（４）の側面にある長さのラック（８）をネジで固定した。ストライク（３）の中からデットボルト（４）を抽出する時、デットボルト（４）の側面に取り付けてあるラック（８）が往復直線運動するには、ラック（８）と噛み合う相手の平歯車（９）が時計方向あるいは反時計方向に回転すればよい。
このような動作を自動的にするために、図２ａに示すように、誘電体材料を円盤に加工して６等分に割り付けて、両面四極円柱形永久磁石（１）が挿入できる穴をあける。図３ａに示すように、その穴に両面四極円柱形永久磁石（１）を挿入した。
両面四極円柱形永久磁石を６個用いた多極回路（１０ａ）の中心穴を平歯車（９）の軸に挿入して固定する。
両面四極円柱形永久磁石を６個用いた多極回路（１０ａ）を時計方向或いは反時計方向に回転すれば、平歯車（９）も同時に回転する。平歯車（９）が回転すれば、ラック（８）が往復直線運動する。この往復直線運動でデットボルト（４）は挿入と抽出を繰り返す。デットボルト（４）の挿入と抽出を繰り返すようにするには、両面四極円柱形永久磁石を６個用いた多極回路（１０ａ）と同じ外部多極回路を作成する。玄関扉の室外アルミニウム板の表面に沿って外部多極回路を多極回路（１０ａ）に近づけると、異極間には吸引力が働く。この吸引力で外部多極回路を時計方向或いは反時計方向に回転すると、両面四極円柱形永久磁石を多数用いた多極回路（１０ａ）も回転する。この回転で、デットボルト（４）は挿入と抽出を繰り返して玄関扉が開閉する。
もし、家人が両面四極円柱形永久磁石を６個用いた外部多極回路を紛失して他人の手に渡って悪利用されても、玄関扉が開閉しないようにすることができる。図２ｂに示すように６箇の両面四極円柱形永久磁石（１）の斜線（磁極面の磁極Ｎ極）と斜線の無い（磁極面の磁極Ｓ極）境界線の傾き角度を変える。磁極面の磁極はＮ極とＳ極の位置が同時に変わって、多極回路（１０ａ）と外部多極回路は合わなくなる。よって、玄関扉を開閉する事ができない。多極回路は膨大な数の暗証番号の組み合わせをする事ができる。又玄関扉の開閉の振動で多極回路（１０ａ）に用いている両面四極円柱形永久磁石の側面をネジで止めて、ズレを起きないようにしてある。しかし一日何十回の玄関扉の開閉が何ケ月も経過して少しズレると、暗証番号の組み合わせは変わる。その対策として図２ｃに示すように、両面四極八角柱形永久磁石（２）を用いる。両面四極八角柱形永久磁石（２）を用いれば、玄関扉の開閉の振動でズレる心配は無い。
もし、万一暗証番号を解読されても、簡単に玄関扉が開閉できないように２重ロック回路も設けた。２重ロック回路の動作を詳細に述べる。
適当な厚みの金属板（６Ａ）を図３ｂに示すように加工した。図３ａに示すように、デットボルト（４）の後方にロック回路止め金具（７ｃ）をネジで取り付けた。
図３ａに示すように、デットボルト（４）を支える容器（５）の側面に、ロック回路が自由に可動できるように軸受け（７ｄ）を設けた。
適当な厚みの金属板のロック回路（６Ａ）の先端の上に誘電体容器の中に両面二極円柱形永久磁石（６ａ）を接合剤で接合した。永久磁石（６ａ）の上部の磁極面の磁極はＮ極で、下部の磁極面の磁極はＳ極である。ロック回路（６Ａ）が上にあがっても、直ぐ下にさがるように、永久磁石（６ａ）の下部に永久磁石（７ａ）を置いた。その両面二極長方形永久磁石（７ａ）の上部の磁極面の磁極はＮ極であり、永久磁石（６ａ）の下部の磁極面の磁極はＳ極で、異極間には吸引力が働く。この吸引力でロック回路（６Ａ）はロックされたままになる。
ロック回路（６Ｂ）の先端の上に誘電体容器の中に両面二極円柱形永久磁石（６ｂ）を接合剤で接合した。永久磁石（６ｂ）の上部の磁極面の磁極はＳ極で、下部の磁極面の磁極はＮ極である。ロック回路（６Ａ）が上にあがっても直ぐ下にさがるように永久磁石（６ｂ）の下部に永久磁石（７ｂ）を置いた。その両面二極長方形永久磁石（７ｂ）の磁極面の磁極はＳ極であり、永久磁石（６ｂ）の下部の磁極面の磁極はＮ極である。故に、異極間には吸引力が働く。この吸引力でロック回路（６Ｂ）はロックされたままになる。
多極回路（１０ａ）を反時計方向に回転すると、デットボルト（４）は抽出しようとしても停止したままになる。それは図３に示すように、ロック回路（６Ａと６Ｂ）は釣り具の銛のように逆さ向きにとがった形にした。この逆さ向きにとがった形の部分がロック回路止め金具（７ｃ）に引っかかり、デットボルト（４）は抽出できない。換言すれば、デットボルト（４）はロックされたままである。逆さ向きにとがった形の部分をロック回路止め金具（７ｃ）から離なすと、デットボルト（４）は抽出できる。この状態をロック解除と言う。
ロック回路止め金具（７ｃ）にロック回路（６Ａと６Ｂ）の釣り具の銛のように逆さ向きにとがった形の部分を引っかけたり離したりの動作を自動的にする方法を詳細に述べる。
ロックを解除する方法は外部磁石を２個用いて一つの磁極面の磁極をＳ極にし、もう一方の磁極面の磁極をＮ極にする。これらの２個の磁石を一対にする。一対の磁石を玄関扉の室外アルミニウムの表面から永久磁石（６ａ）と（６ｂ）の位置に近づけると、ロック回路（６Ａと６Ｂ）は室外アルミニウムの表面に引き寄せられる。この状態をロックを解除したと言う。
もし両面二極永久磁石の磁極面の磁極はＳ極にして、この外部磁石の磁極面の磁極Ｓ極を１個用いて、玄関扉の室外アルミニウムの表面から永久磁石（６ａ）と（６ｂ）の位置に近づける。永久磁石（６ａ）のＮ極と外部磁石のＳ極は異極間になるので、吸引力が働く。この吸引力でロック回路（６Ａ）は室外アルミニウムの表面に引き寄せられる。
一方の永久磁石（６ｂ）の磁極面の磁極はＳ極である。永久磁石（６ｂ）のＳ極に外部磁石Ｓ極を近づけると同極間になるので、反発力が働く。この反発力でロック回路（６Ｂ）は室外アルミニウムの表面に引き寄せられない。デットボルト（４）はロックされたままです。
両面二極の外部磁石の磁極面の磁極はＮ極にして、この外部磁石の磁極面の磁極Ｎ極を１個用いて、玄関扉の室外アルミニウムの表面から永久磁石（６ａ）と（６ｂ）の位置に近づける。永久磁石（６ｂ）のＮ極と外部磁石のＮ極は同極間になるので、反発力が働く。この反発力でロック回路（６Ａ）は室外アルミニウムの表面に引き寄せられない。デットボルト（４）はロックされたままです。。
一方の永久磁石（６ｂ）の磁極面の磁極はＳ極である。永久磁石（６ｂ）のＳ極に外部磁石Ｎ極を近づけると異極間になるので、吸引力が働く。この吸引力でロック回路（６Ｂ）は室外アルミニウムの表面に引き寄せられる。しかし、デットボルト（４）はロックされたままです。上にのべたように外部磁石を２個用いて、２個の磁石を一対にする。この一対の磁石を玄関扉の室外アルミニウムの表面から永久磁石（６ａと６ｂ）の位置に近づけないと、ロック回路を解除できない。
以上詳細に述べたように、２重ロック回路は安心な生活を送るために、防犯には十分に配慮している。
盗難防止用鍵の安全性をより一層高めるために、膨大な数の暗証番号の組み替えできる両面四極永久磁石を用いた多極回路（１０ａ）が必要になる。さらに安全性を高めるに２重ロック回路を採用した。
簡単な回路構成で出来る信頼性の高い高性能盗難防止用鍵の装置を備えている。
【０００６】  更に本発明では、２番目の鍵穴の無い玄関扉に取り付ける最も信頼性の高い高性能盗難防止用鍵の構造を図４に示す。
固定した玄関扉に取り付けたストライク（３）に中へデットボルト（４）を挿入する時に、玄関扉は鍵が掛かった状態になる。玄関扉を強く引いてもデットボルト（４）が強度に十分耐えられるように容器（５）で支えた。
ストライク（３）の中へデットボルト（４）が挿入する時は図４に示すようにデットボルト（４）の側面にある長さのラック（８）をネジで固定した。ストライク（３）の中からデットボルト（４）を抽出する時、デットボルト（４）の側面に取り付けてあるラック（８）が往復直線運動するには、ラック（８）と噛み合う相手の平歯車（９）が時計方向あるいは反時計方向に回転すればよい。
このような動作を自動的にするために、図２ａに示すように、誘電体材料を円盤に加工して６等分に割り付けて両面四極円柱形永久磁石（１）が挿入できる穴をあける。図４に示すように、その穴に両面四極円柱形永久磁石（１）を挿入した。
両面四極円柱形永久磁石を６個用いた多極回路（１０ａ）の中心穴を平歯車（９）の軸に固定する。
両面四極円柱形永久磁石を６個用いた多極回路（１０ａ）を時計方向或いは反時計方向に回転すれば、平歯車（９）も同時に回転する。平歯車（９）が回転すれば、ラック（８）が往復直線運動する。この往復直線運動でデットボルト（４）は挿入と抽出を繰り返す。
デットボルト（４）の挿入と抽出を繰り返すようにするには、両面四極円柱形永久磁石を６個用いた多極回路（１０ａ）と同じ外部多極回路を作成する。玄関扉の室外アルミニウム板の表面に沿って外部多極回路を多極回路（１０ａ）に近づけると、異極間になって、吸引力が働く。この吸引力で外部多極回路を時計方向或いは反時計方向に回転する。両面四極円柱形永久磁石を６個用いた多極回路（１０ａ）は回転する。この回転で、デットボルト（４）は挿入と抽出を繰り返して玄関扉が開閉する。
もし、家人が両面四極円柱形永久磁石を６個用いた外部多極回路を紛失して他人の手に渡って悪利用されても、玄関扉が開閉しないようにすることができる。図２ｂに示すように６箇の両面四極円柱形永久磁石（１）の斜線（磁極面の磁極はＮ極）と斜線の無い（磁極面の磁極はＳ極）境界線の傾き角度を変える。磁極面の磁極はＮ極と磁極面の磁極はＳ極の位置が同時に変わる。多極回路（１０ａ）と外部多極回路は合わなくなって、玄関扉を開閉する事ができない。多極回路は膨大な数の暗証番号の組み合わせをする事ができる。又玄関扉の開閉の振動で多極回路（１０ａ）に用いている両面四極円柱形永久磁石の側面をネジで止めてズレを起きないようにしてある。しかし一日何十回の玄関扉の開閉が何ヶ月も経過して少しズレると、暗証番号の組み合わせが変わる。その対策として、図２ｃに示すように、両面四極八角柱形永久磁石（２）を用いると、玄関扉の開閉の振動で両面四極八角柱形永久磁石（２）はズレない。
もし、万一暗証番号を解読されても、簡単に暗証番号を変えることができるので、玄関扉は開閉できない。さらに安全性を高めるに一重のロック回路（１３ａ）も設けた。このロック回路（１３ａ）の動作を詳細に述べる。
図４示すように、デットボルト（４）と直角９０°の位置にロック回路（１３ａ）を置いた。ロック回路（１３ａ）の先端にベアリング（１２）を取り付けた。ロック回路（１３ａ）の先端はデットボルト（４）の側面に当たるようにした。ロック回路（１３ａ）を支える容器（１３ｂ）であり、ロック回路（１３ａ）が滑らかに可動するよにした。ロック回路（１３ａ）の側面にある長さのラック（８）をネジで固定した。
ロック回路（１３ａ）を挿入と抽出をするとき、ロック回路（１３ａ）の側面に取り付けてあるラック（８）が往復直線運動には、ラック（８）と噛み合う相手の平歯車（９）が時計方向あるいは反時計方向に回転すれば良い。
このような動作を自動的にするには、図４に示すように、誘電体材料を円盤に加工して８等分に割り付けて両面二極円柱形永久磁石（１１）が挿入できる穴をあける。図４に示すように、その穴に両面二極円柱形永久磁石（１１）を挿入した。
両面二極円柱形永久磁石（１１）を８個用いた多極回路（１０ｂ）の中心穴を平歯車（９）の軸に挿入してネジで固定した。
両面二極円柱形永久磁石（１１）を８個用いた多極回路（１０ｂ）を時計方向あるいは反時計方向に回転すれば、平歯車（９）も同時に回転する。平歯車（９）が回転すれば、ラック（８）が往復直線運動する。この往復直線運動でロック回路（１３ａ）は挿入と抽出できる。
図４に示すように、デットボルト（４）が完全に挿入した時にデットボルト（４）はロックされたままになる。このような状態にすれば安全性の高い盗難防止用鍵になる。
この鍵の動作を詳細に述べる。
デットボルト（４）を完全に抽出した位置から徐々に挿入すると、ロック回路（１３ａ）の先端に取り付けたベアリング（１２）はデットボルト（４）の側面に沿って回転する。デットボルト（４）が完全に挿入してしまうと、デットボルト（４）の横幅は標準寸法から急に１／２の横幅にしてある。その横幅１／２の位置にロック回路（１３ａ）がくると、ロック回路（１３ａ）自身の重さと地球の重力が加わって垂直に落下する。
デットボルト（４）を完全に抽出しようとしても停止したままとなる。この状態をデットボルト（４）がロックされたままである。
玄関扉を開けるにはデットボルト（４）を完全に抽出しなければならない。そのためにはロック回路（１３ａ）を抽出する動作を説明する。
ロック回路（１３ａ）の挿入と抽出を繰り返すようにするには、両面二極円柱形永久磁石を８箇用いた多極回路（１０ｂ）と同じ外部多極回路を作成する。玄関扉の室外アルミニウム板の表面に沿って外部多極回路を多極回路（１０ｂ）に近づけると、異極間には吸引力が生じる。この吸引力で外部多極回路を時計方向或いは反時計方向に回転すると、両面二極円柱形永久磁石を８箇用いた多極回路（１０ａ）は回転する。この回転でロック回路（１３ａ）を抽出してロック回路は解除できる。
以上詳細に述べたようにロック回路は安心な生活を送るために、防犯に十分に配慮している。
盗難防止用鍵の安全性をより一層高めるために、膨大な数の暗証番号の組み替えができる両面四極永久磁石を用いた多極回路（１０ａ）が必要である。さらに安全性を高めるにロック回路を採用した。
簡単な回路構成で出来る信頼性の高い高性能盗難防止用鍵の装置を備えている。
【０００７】  更に本発明では、３番目の鍵穴の無い玄関扉に取り付ける盗難防止用鍵の安全性をより一層高めるために、両面四極永久磁石を用いた多極回路（１０ａ）を用いると、膨大な数の暗証番号の組み替えができる。更に２重ロック回路（６ａと６ｂ）と上部の鍵にＷｈｅｅｌＡｘｌｅ（１６）の軸を採用したので、簡単に玄関扉を開けることができない。賊の侵入を防ぐ信頼性の高い高性能盗難防止用鍵を図５に示す。
固定玄関扉に取り付けたストライク（３）の中へデットボルト（４）を挿入する時に、玄関扉の鍵が掛かった状態になる。玄関扉を強く引いても、デットボルト（４）が強度に十分耐えられる容器（５）で支えた。
図５に示すように、デットボルト（４）の側面にある長さのラック（８）をネジで固定した。ストライク（３）の中からデットボルト（４）を抽出する時、デットボルト（４）の側面に取り付けてあるラック（８）が往復直線運動するには、ラック（８）と噛み合う相手のピニオン歯車（１４）が時計方向あるいは反時計方向に回転すれば良い。
このような動作を自動的にするために、図２ａに示すように、誘電体材料を円盤に加工して６等分に割り付けて両面四極円柱形永久磁石（１）が挿入できる穴をあける。図５に示すように、その穴に両面四極円柱形永久磁石（１）を挿入した。
両面四極円柱形永久磁石を多数用いた多極回路（１０ａ）の中心穴をウォームギヤ（１５）の軸に固定する。
両面四極円柱形永久磁石を６個用いた多極回路（１０ａ）を時計方向或いは反時計方向に回転すれば、ウォームギヤ（１５）も同時に回転する。ウォームギヤ（１５）が回転すれば、ピニオン歯車（１４）も回転してラック（８）が往復直線運動する。この往復直線運動でデットボルト（４）は挿入と抽出を繰り返す。デットボルト（４）の挿入と抽出を繰り返すようにするには、両面四極円柱形永久磁石を６個用いた多極回路（１０ａ）と同じ外部多極回路を作成する。玄関扉の室外アルミニウム板の表面に沿って外部多極回路を多極回路（１０ａ）に近づけると、異極間には吸引力が生じる。この吸引力で外部多極回路を時計方向或いは反時計方向に回転すると、両面四極円柱形永久磁石を６個用いた多極回路（１０ａ）は回転する。この回転でデットボルト（４）は挿入と抽出を繰り返して玄関扉が開閉する。
もし、家人が両面四極円柱形永久磁石を６個用いた外部多極回路を紛失して他人の手に渡って悪利用されても、玄関扉が開閉しないようにする事ができる。図２ｂに示すように、６箇の両面四極円柱形永久磁石（１）の斜線（磁極面の磁極Ｎ）と斜線の無い（磁極面の磁極Ｓ）境界線の傾き角度を変える。傾き角度を変えと、磁極面の磁極はＮと磁極面の磁極はＳの位置が同時に変わって、多極回路（１０ａ）と外部多極回路は合わなくなって、玄関扉が開閉する事が出来ない。多極回路は膨大な数の暗証番号の組み合わせをする事ができる。又玄関扉の開閉の振動で多極回路（１０ａ）に用いている両面四極円柱形永久磁石の側面をネジで止めてズレを起きないようにしてある。しかし一日何十回の玄関扉の開閉が何ケ月も経過して少しズレると、暗証番号の組み合わせが変わる。その対策として、図２ｃに示すように、両面四極八角柱形永久磁石（２）を用いる。両面四極八角柱形永久磁石（２）を用いれば、玄関扉の開閉の振動でズレる心配はない。
もし、万一暗証番号を解読されても、簡単に玄関扉が開閉出来ないように２重ロック回路も設けた。２重ロック回路の動作を詳細に述べる。
適当な厚みの金属板（６Ａ）を図３ｂに示すように加工した。図３ａに示すようにデットボルト（４）の後方にロック回路止め金具（７ｃ）をネジで取り付けた。
図３ａに示すように、デットボルト（４）を支える容器（５）の側面にロック回路が自由に可動出来るように軸受け（７ｄ）を設けた。
図３ｂに示すように、適当な厚みの金属板のロック回路（６Ａ）の先端の上に誘電体容器の中に両面二極円柱形永久磁石（６ａ）を接合剤で接合した。永久磁石（６ａ）の上部の磁極面の磁極はＮ極で、下部の磁極面の磁極はＳ極である。ロック回路（６Ａ）が上にあがっても、直ぐ下にさがるように、永久磁石（６ａ）を下部に永久磁石（７ａ）を置いた。その両面二極長方形永久磁石（７ａ）の上部の磁極面の磁極はＮ極であり、永久磁石（６ａ）の下部の磁極面の磁極はＳ極で、異極間には吸引力が働く。この吸引力でロック回路（６Ａ）はロックされたままになる。
ロック回路（６Ｂ）の先端の上に誘電体容器の中に両面二極円柱形永久磁石（６ｂ）を接合剤で接合した。永久磁石（６ｂ）の上部の磁極面の磁極はＳ極で、下部の磁極面の磁極はＮ極である。ロック回路（６Ａ）が上にあがっても直ぐ下にさがるように永久磁石（６ｂ）を下部に永久磁石（７ａ）を置いた。その両面二極長方形永久磁石（７ｂ）の磁極面の磁極はＳ極であり、永久磁石（６ｂ）の下部の磁極面の磁極はＮ極で、異極間には吸引力が働く。この吸引力でロック回路（６Ｂ）はロックされたままになる。
多極回路（１０ａ）を反時計方向に回転すると、デットボルト（４）は抽出しようとしても停止したままになる。それは図３に示すように、（ロック回路（６Ａと６Ｂ）は釣り具の銛のように逆さ向きにとがった形にした。）この逆さ向きにとがった形の部分がロック回路止め金具（７ｃ）に引っかかり、デットボルト（４）は抽出できない。換言すれば、デットボルト（４）はロックされたままである。逆さ向きにとがった形の部分をロック回路止め金具（７ｃ）から離すと、デットボルト（４）は抽出できる。この状態をロック解除と言う。
ロック回路止め金具（７ｃ）にロック回路（６Ａと６Ｂ）の釣り具の銛のように逆さ向きにとがった形の部分を引っかけたり離したりを自動的にする方法を詳細に述べる。  ロックを解除する方法は外部磁石を２個用いて一つの磁極面の磁極をＳ極にし、もう一方の磁極面の磁極をＮ極にする。これらの２個の磁石を一対にして、玄関扉の室外アルミニウムの表面から永久磁石（６ａ）と（６ｂ）の位置に近づけると、ロック回路（６Ａと６Ｂ）は室外アルミニウムの表面に引き寄せられる。この状態をロックを解除したと言う。
もし両面二極外部磁石の磁極面の磁極はＳ極にして、この外部磁石の磁極面の磁極Ｓ極を１個用いて、玄関扉の室外アルミニウムの表面から永久磁石（６ａ）と（６ｂ）の位置に近づける。永久磁石（６ａ）のＮ極と外部磁石のＳ極は異極間になるので、吸引力が働く。この吸引力でロック回路（６Ａ）は室外アルミニウムの表面に引き寄せられる。
一方の永久磁石（６ｂ）の磁極面の磁極はＳ極である。永久磁石（６ｂ）のＳ極に外部磁石Ｓ極を近づけると同極間になるので、反発力が働く。この反発力でロック回路（６Ｂ）は室外アルミニウムの表面に引き寄せられない。ゆえにロック回路（６Ｂ）が残るので、デットボルト（４）はロックされたままである。
両面二極の外部磁石の磁極面の磁極はＮ極にして、この外部磁石の磁極面の磁極Ｎ極を１個用いて、玄関扉の室外アルミニウムの表面から永久磁石（６ａ）と（６ｂ）の位置に近づける。永久磁石（６ａ）のＮ極と外部磁石のＮ極は同極間になるので、反発力が働く。この反発力でロック回路（６Ａ）は室外アルミニウムの表面に引き寄せられない。デットボルト（４）はロックされたままです。
一方の永久磁石（６ｂ）の磁極面の磁極はＳ極である。永久磁石（６ｂ）のＳ極に外部磁石Ｎ極を近づけると異極間になるので、吸引力が働く。この吸引力でロック回路（６Ｂ）は室外アルミニウムの表面に引き寄せられる。しかし、デットボルト（４）はロックされたままです。
盗難防止用鍵の安全性をより一層高めるために、両面四極永久磁石を用いた多極回路（１０ａ）を用いると、膨大な数の暗証番号の組み替えができる。さらに安全性を高めるに２重ロック回路も採用した。
いかなる方法を講じて玄関扉が開かないようにしても、破壊されて侵入する時もありうる。
盗難防止用鍵の安全性をより一層高めるために、両面四極永久磁石を用いた多極回路（１０ａ）は必要になる。さらに安全性を高めるに２重回路（１３ａ）も採用した。
高性能盗難防止用鍵の装置であっても、バールで玄関扉の鍵の付近を壊されても、室内に侵入できない新しい盗難防止用鍵の装置を考案した。
図５に示すように、玄関扉の上部と中央部の２カ所の鍵が１箇の多極回路（１０ａ）で同時に作動するようにした。上部の鍵を作動する回転軸の途中にＷｈｅｅｌ  Ａｘｌｅを設けて中央部の鍵が破壊されても、上部の鍵はそのまま残るので室内の侵入を防ぐ事が出来る。
この盗難防止用鍵の動作について詳細に述べる。
図５に示すように、デットボルト（４）とストライク（３）及びデットボルトを支える容器（５）、
該ストライク（３）の中へデットボルト（４）を挿入する時に、デットボルト（４）の側面にある長さのラック（８）をネジで固定した。ストライク（３）の中からデットボルト（４）を抽出する時、デットボルト（４）の側面に取り付けてあるラック（８）が往復直線運動するには、ラック（８）と噛み合う相手のピニオン歯車（１４）が時計方向あるいは反時計方向に回転すればよい。
ピニオン歯車（１４）を時計方向或いは反時計方向に回転する軸の途中に、Ｗｈｅｅｌ  Ａｘｌｅ（１６）を結合してウォームギヤ（１５）の軸に接続した。
図５に示すように、Ｗｈｅｅｌ  Ａｘｌｅ（１６）の軸は回転しても空回りしないようにピンで押さえ、相手の軸に挿入してある。
両面四極円柱形永久磁石を６個用いた多極回路（１０ａ）を時計方向或いは反時計方向に回転すれば、ウォームギヤ（１５）も同時に回転する。ウォームギヤ（１５）が回転すれば、上部と中央のラック（８）が往復直線運動する。上部と中央のデットボルト（４）は同時に挿入と抽出を繰り返す。上部と中央部のデットボルト（４）の挿入と抽出を繰り返すようにするには、図５に示すように、両面四極円柱形永久磁石を６個用いた多極回路（１０ａ）と同じ外部多極回路を作成する。玄関扉の室外アルミニウム板の表面に沿って外部多極回路を多極回路（１０ａ）に近づけると、異極間には吸引力が働く。この吸引力で外部多極回路を時計方向或いは反時計方向に回転すると、両面四極円柱形永久磁石を６個用いた多極回路（１０ａ）は回転する。この回転で上部と中央のデットボルト（４）は同時に挿入と抽出を繰り返して玄関扉が開閉する。
もしバールで玄関扉の中央の鍵の付近を壊された時に、その時の状態でウォームギヤ（１５）も含まれる。ウォームギヤ（１５）が壊れるとＷｈｅｅｌ  Ａｘｌｅ（１６）の軸が直ぐはずれるように設計してある。Ｗｈｅｅｌ  Ａｘｌｅ（１６）の軸が外れるだけで、上部の鍵はそのまま残るので、玄関扉を開ける事ができない。
盗難防止用鍵の安全性をより一層高めるために、膨大な数の暗証番号の組み替えできる多極回路（１０ａ）が必要である。さらに安全性を高めるに２重ロック回路（６ａと６ｂ）と上部の鍵にＷｈｅｅｌ  Ａｘｌｅ（１６）の軸を採用した。
図５に示すような回路構成でできる信頼性の高い高性能盗難防止用鍵の装置を備えている。
【発明の効果】
【０００８】  本発明の３種類の信頼性の高い高性能盗難防止用鍵の装置は最も安全性をより一層高めるために、膨大な数の暗証番号の組み替えできる両面四極永久磁石を用いた多極回路（１０ａ）が必要になる。さらに２重ロック回路（６ａと６ｂ）も用いた。そして、上部の鍵にＷｈｅｅｌ  Ａｘｌｅ（１６）の軸を採用した。
これらの信頼性の高い高性能盗難防止用鍵の装置を玄関扉の室外と室内のアルミニウム枠内に取り付ける事ができる。
これらの信頼性の高い高性能盗難防止用鍵の装置を用いれば、玄関扉の室外扉に鍵穴は不要である。図２ｂ及び図２ｃに示すように、両面四極永久磁石を用いた多極回路（１０ａ）を用いる。この多極回路（１０ａ）は膨大な数の暗証番号の組み替えができる。この多極回路（１０ａ）を用いると、簡単に玄関扉を開けることができない。
【発明を実施するための最良の形態】
【０００９】  本発明の実施の形態を述べると、本発明した３種類の信頼性の高い高性能盗難防止用鍵は両面四極永久磁石を用いた多極回路（１０ａ）を用いている。この多極回路（１０ａ）は膨大な数の暗証番号の組み替えができる。この多極回路を時計方向或いは反時計方向に回転すればデットボルト（４）を挿入と抽出できる。もし、暗証番号を解読されても、直ぐ
変える事ができる。更に安全性をより一層高めるために、１重あるいは２重ロック回路を備えている。
また、両面四極永久磁石を用いた多極回路（１０ａ）１個で、上部と中央部の鍵を挿入と抽出できる信頼性の高い高性能盗難防止用鍵を備えている。
゛安心した日々を送れるように″、防犯には十二分に配慮した設計で信頼性の高い高性能盗難防止用鍵を実現した。
【実施例１】
【００１０】  本発明の最初の装置の実施の形態を述べると、詳細な構造を図３を用いて説明する。
図３に示すように、玄関扉の固定した扉に取り付けたストライク（３）の中へデットボルト（４）を挿入した時に、玄関扉の鍵が掛かった状態になる。玄関扉を強く引いても、デットボルト（４）は強度に十分耐えられる容器（５）で支えた。
ストライク（３）の中へデットボルト（４）が挿入する時の動作について詳細に述べる。デットボルト（４）の側面にある長さのラック（８）をネジで固定した。ストライク（３）の中からデットボルト（４）を抽出する時、デットボルト（４）の側面に取り付けてあるラック（８）が往復直線運動するには、ラック（８）と噛み合う相手の平歯車（９）が時計方向あるいは反時計方向に回転すればよい。
このような動作を自動的にするために、図２ａに示すように、誘電体材料を円盤に加工して６等分に割り付けて、両面四極円柱形永久磁石（１）が挿入できる穴をあける。図３ａに示すように、その穴に両面四極円柱形永久磁石（１）を挿入した。
両面四極円柱形永久磁石を６個用いた多極回路（１０ａ）の中心穴を平歯車（９）の軸に挿入して固定する。
両面四極円柱形永久磁石を６個用いた多極回路（１０ａ）を時計方向或いは反時計方向に回転すれば、平歯車（９）も同時に回転する。平歯車（９）が回転すれば、ラック（８）が往復直線運動する。この往復直線運動でデットボルト（４）は挿入と抽出を繰り返す。デットボルト（４）の挿入と抽出を繰り返すようにするには、両面四極円柱形永久磁石を６個用いた多極回路（１０ａ）と同じ外部多極回路を作成する。玄関扉の室外アルミニウム板の表面に沿って外部多極回路を多極回路（１０ａ）に近づけると、異極間には吸引力が働く。この吸引力で外部多極回路を時計方向或いは反時計方向に回転すると、両面四極円柱形永久磁石を多数用いた多極回路（１０ａ）も回転する。この回転で、デットボルト（４）は挿入と抽出を繰り返して玄関扉が開閉する。
もし、家人が両面四極円柱形永久磁石を６個用いた外部多極回路を紛失して他人の手に渡って悪利用されても、玄関扉が開閉しないようにすることができる。図２ｂに示すように、６箇の両面四極円柱形永久磁石（１）の斜線（磁極面の磁極Ｎ極）と斜線の無い（磁極面の磁極Ｓ極）境界線の傾き角度を変える。磁極面の磁極はＮ極と磁極面の磁極はＳ極の位置が同時に変わって、多極回路（１０ａ）と外部多極回路は合わなくなる。よって、玄関扉を開閉する事ができない。多極回路は膨大な数の暗証番号の組み合わせをする事ができる。又玄関扉の開閉の振動で多極回路（１０ａ）に用いている両面四極円柱形永久磁石の側面をネジで止めて、ズレが起きないようにしている。しかし一日何十回の玄関扉の開閉が何ケ月も経過して少しズレると、暗証番号の組み合わせは変わる。その対策として図２ｃに示すように、両面四極八角柱形永久磁石（２）を用いる。両面四極八角柱形永久磁石（２）を用いれば、玄関扉の開閉の振動でズレる心配はない。
もし、万一暗証番号を解読されても、簡単に玄関扉が開閉できないように２重ロック回路も設けた。２重ロック回路の動作を詳細に述べる。
適当な厚みの金属板（６Ａ）を図３ｂに示すように加工した。図３ａに示すように、デットボルト（４）の後方にロック回路止め金具（７ｃ）をネジで取り付けた。
図３ａに示すように、デットボルト（４）を支える容器（５）の側面に、ロック回路（６Ａと６Ｂ）が自由に可動できるように軸受け（７ｄ）を設けた。
図３ｂに示すように、適当な厚みの金属板のロック回路（６Ａ）の先端の上に誘電体容器の中に、両面二極円柱形永久磁石（６ａ）を接合剤で接合した。永久磁石（６ａ）の上部の磁極面の磁極はＮ極で、下部の磁極面の磁極はＳ極である。ロック回路（６Ａ）が上にあがっても、直ぐ下にさがるように、永久磁石（６ａ）の下部に永久磁石（７ａ）を置いた。その両面二極長方形永久磁石（７ａ）の上部の磁極面の磁極はＮ極であり、永久磁石（６ａ）の下部の磁極面の磁極はＳ極で、異極間には吸引力が働く。この吸引力でロック回路（６Ａ）はロックされたままになる。
ロック回路（６Ｂ）の先端の上に、誘電体容器の中に両面二極円柱形永久磁石（６ｂ）を接合剤で接合した。永久磁石（６ｂ）の上部の磁極面の磁極はＳ極で、下部の磁極面の磁極はＮ極である。ロック回路（６Ａ）が上にあがっても、直ぐ下にさがるように永久磁石（６ｂ）の下部に永久磁石（７ｂ）を置いた。その両面二極長方形永久磁石（７ｂ）の磁極面の磁極はＳ極であり、永久磁石（６ｂ）の下部の磁極面の磁極はＮ極である。故に、異極間には吸引力が働く。この吸引力でロック回路（６Ｂ）はロックされたままになる。
多極回路（１０ａ）を反時計方向に回転すると、デットボルト（４）は抽出しようとしても停止したままになる。それは図３ｂに示すように、（ロック回路（６Ａと６Ｂ）は釣り具の銛のように逆さ向きにとがった形にした。）この逆さ向きにとがった形の部分がロック回路止め金具（７ｃ）に引っかかり、デットボルト（４）は抽出できない。換言すれば、デットボルト（４）はロックされたままである。逆さ向きにとがった形の部分をロック回路止め金具（７ｃ）から離なすと、デットボルト（４）は抽出できる。この状態をロック解除と言う。
ロック回路止め金具（７ｃ）に、ロック回路（６Ａと６Ｂ）の釣り具の銛のような逆さ向きにとがった形の部分を引っかけたり離したりする動作を自動的にする方法を詳細に述べる。  ロックを解除する方法は外部磁石を２個用いて一つの磁極面の磁極をＳ極にし、もう一方の磁極面の磁極をＮ極にする。これらの２個の磁石を一対にする。一対の磁石を玄関扉の室外アルミニウムの表面から永久磁石（６ａ）と（６ｂ）の位置に近づけると、ロック回路（６Ａと６Ｂ）は室外アルミニウムの表面に引き寄せられる。この状態をロックを解除したと言う。
もし両面二極永久磁石の磁極面の磁極はＳ極にして、この外部磁石の磁極面の磁極Ｓ極を１個用いて、玄関扉の室外アルミニウムの表面から永久磁石（６ａ）と（６ｂ）の位置に近づける。永久磁石（６ａ）のＮ極と外部磁石のＳ極は異極間になるので、吸引力が働く。この吸引力でロック回路（６Ａ）は室外アルミニウムの表面に引き寄せられる。
一方の永久磁石（６ｂ）の磁極面の磁極はＳ極である。永久磁石（６ｂ）のＳ極に外部磁石Ｓ極を近づけると同極間になるので、反発力が働く。この反発力でロック回路（６Ｂ）は室外アルミニウムの表面に引き寄せられない。デットボルト（４）はロックされたままである。
両面二極の外部磁石の磁極面の磁極はＮ極にして、この外部磁石の磁極面の磁極Ｎ極を１個用いて、玄関扉の室外アルミニウムの表面から永久磁石（６ａ）と（６ｂ）の位置に近づける。永久磁石（６ｂ）のＮ極と外部磁石のＮ極は同極間になるので、反発力が働く。この反発力でロック回路（６Ａ）は室外アルミニウムの表面に引き寄せられない。デットボルト（４）はロックされたままである。
一方の永久磁石（６ｂ）の磁極面の磁極はＳ極である。永久磁石（６ｂ）のＳ極に外部磁石Ｎ極を近づけると異極間になるので、吸引力が働く。この吸引力でロック回路（６Ｂ）は室外アルミニウムの表面に引き寄せられる。しかし、デットボルト（４）はロックされたままである。上に述べたように、外部磁石を２個用いて、２個の磁石を一対にする。この一対の磁石を玄関扉の室外アルミニウムの表面から永久磁石（６ａと６ｂ）の位置の近づけないと、ロック回路を解除できない。
以上詳細に述べたように、２重ロック回路は安心な生活を送るために、防犯には十分に配慮
している。
盗難防止用鍵の安全性をより一層高めるために、膨大な数の暗証番号の組み替えができる両面四極永久磁石を用いた多極回路（１０ａ）が必要である。さらに安全性を高くするために２重ロック回路を採用した。
簡単な回路構成でできる信頼性の高い高性能盗難防止用鍵の装置。
このような鍵を利用すると、玄関扉の室外には鍵穴がないので侵入者も戸惑う。
【実施例２】
【００１１】  本発明の２番目の装置の実施形態の詳細な構造を図４を用いて説明する。
図４に示すように、玄関扉の固定した扉に取り付けたストライク（３）の中へデットボルト（４）を挿入した時に、玄関扉の鍵が掛かった状態になる。玄関扉を強く引いてもデットボルト（４）は強度に十分耐えられる容器（５）で支えた。
ストライク（３）の中へデットボルト（４）が挿入する時、図４に示すように、デットボルト（４）の側面にある長さのラック（８）をネジで固定した。ストライク（３）の中からデットボルト（４）を抽出する時、デットボルト（４）の側面に取り付けてあるラック（８）が往復直線運動するには、ラック（８）と噛み合う相手の平歯車（９）が時計方向あるいは反時計方向に回転すればよい。
このような動作を自動的にするために、図２ａに示すように、誘電体材料を円盤に加工して６等分に割り付けて両面四極円柱形永久磁石（１）が挿入できる穴をあける。図４に示すように、その穴に両面四極円柱形永久磁石（１）を挿入した。
両面四極円柱形永久磁石を多数用いた多極回路（１０ａ）の中心穴を平歯車（９）の軸に固定する。
両面四極円柱形永久磁石を６個用いた多極回路（１０ａ）を時計方向或いは反時計方向に回転すれば、平歯車（９）も同時に回転する。平歯車（９）が回転すれば、ラック（８）が往復直線運動する。この往復直線運動でデットボルト（４）は挿入と抽出を繰り返す。
デットボルト（４）の挿入と抽出を繰り返すようにするには、両面四極円柱形永久磁石を６個用いた多極回路（１０ａ）と同じ外部多極回路を作成する。玄関扉の室外アルミニウム板の表面に沿って外部多極回路を多極回路（１０ａ）に近づけると、異極間になっては吸引力が働く。この吸引力で外部多極回路を時計方向或いは反時計方向に回転する。両面四極円柱形永久磁石を６個用いた多極回路（１０ａ）は回転する。この回転で、デットボルト（４）は挿入と抽出を繰り返して玄関扉が開閉する。
もし、家人が両面四極円柱形永久磁石を６個用いた外部多極回路を紛失して他人の手に渡って悪利用されても、玄関扉が開閉しないようにすることができる。図２ｂに示すように、６箇の両面四極円柱形永久磁石（１）の斜線（磁極面の磁極はＮ極）と斜線の無い（磁極面の磁極はＳ極）境界線の傾き角度を変える。磁極面の磁極はＮ極と磁極面の磁極はＳ極の位置が同時に変わって、多極回路（１０ａ）と外部多極回路は合わなくなる。よって、玄関扉は開閉する事ができない。多極回路は膨大な数の暗証番号の組み合わせをする事ができる。又玄関扉の開閉の振動で多極回路（１０ａ）に用いている両面四極円柱形永久磁石の側面をネジで止めてズレを起きないようにしている。しかし一日何十回の玄関扉の開閉が何ヶ月も経過して少しズレると、暗証番号の組み合わせが変わる。その対策として、図２ｃに示すように、両面四極八角柱形永久磁石（２）を用いれば、玄関扉の開閉の振動で両面四極八角柱形永久磁石（２）はズレる心配はない。
もし、万一暗証番号を解読されても、簡単に暗証番号を変えることができるので、玄関扉は開閉できない。さらに安全性を高めるにロック回路（１３ａ）も設けた。このロック回路（１３ａ）の動作を詳細に述べる。
図４示すように、デットボルト（４）と直角９０°の位置にロック回路（１３ａ）を置いた。ロック回路（１３ａ）の先端にベアリング（１２）を取り付けた。ロック回路（１３ａ）の先端はデットボルト（４）の側面に当たるようにした。ロック回路（１３ａ）を支える容器（１３ｂ）であり、ロック回路（１３ａ）が滑らかに可動するよにした。ロック回路（１３ａ）の側面にある長さのラック（８）をネジで固定した。
ロック回路（１３ａ）を挿入と抽出をするとき、ロック回路（１３ａ）の側面に取り付けてあるラック（８）が往復直線運動するには、ラック（８）と噛み合う相手の平歯車（９）が時計方向あるいは反時計方向に回転すれば良い。
このような動作を自動的にするには、図４に示すように誘電体材料を円盤に加工して８等分に割り付けて両面二極円柱形永久磁石（１１）が挿入できる穴をあける。図４に示すように、その穴に両面二極円柱形永久磁石（１１）を挿入した。
両面二極円柱形永久磁石（１１）を８個用いた多極回路（１０ｂ）の中心穴を平歯車（９）の軸に挿入してネジで固定した。
両面二極円柱形永久磁石（１１）を８個用いた多極回路（１０ｂ）を時計方向あるいは反時計方向に回転すれば、平歯車（９）も同時に回転する。平歯車（９）が回転すれば、ラック（８）が往復直線運動する。この往復直線運動でロック回路（１３ａ）は挿入と抽出できる。
図４に示すように、デットボルト（４）が完全に挿入した時にデットボルト（４）はロックされたままになる。このような状態にすれば、安全性の高い盗難防止用鍵になる。
この鍵の動作を詳細に述べる。
デットボルト（４）を完全に抽出した位置から徐々に挿入すると、ロック回路（１３ａ）の先端に取り付けたベアリング（１２）はデットボルト（４）の側面に沿って回転する。デットボルト（４）が完全に挿入してしまうと、デットボルト（４）の横幅は標準寸法から急に１／２の横幅にしてある。その横幅１／２の位置にロック回路（１３ａ）がくると、ロック回路（１３ａ）自身の重さと地球の重力が加わって垂直に落下する。
デットボルト（４）を完全に抽出しようとしても停止したままとなる。この状態をデットボルト（４）がロックされたままである。
玄関扉を開けるには、デットボルト（４）を完全に抽出しなければならない。そのためにはロック回路（１３ａ）を抽出する動作を説明する。
ロック回路（１３ａ）の挿入と抽出を繰り返すようにするには、両面二極円柱形永久磁石を８箇用いた多極回路（１０ｂ）と同じ外部多極回路を作成する。玄関扉の室外アルミニウム板の表面に沿って外部多極回路を多極回路（１０ｂ）に近づけると、両者間には吸引力が生じる。この吸引力で外部多極回路を時計方向或いは反時計方向に回転すると両面二極円柱形永久磁石を８箇用いた多極回路（１０ａ）は回転する。この回転でロック回路（１３ａ）を抽出してロック回路は解除する。
以上詳細に述べたようにこのロック回路は安心な生活を送るために、防犯に十分に配慮している。
盗難防止用鍵の安全性をより一層高めるために、膨大な数の暗証番号の組み替えができる面四極永久磁石を用いた多極回路（１０ａ）が必要である。さらに安全性を高めるためにロック回路も採用した。
簡単な回路構成で出来る信頼性の高い高性能盗難防止用鍵の装置。
このような鍵を利用すると、玄関扉の室外には鍵穴がないので侵入できない。
【実施例３】
【００１２】  本発明の３番目の装置の実施形態を述べると、詳細な構造を図５を用いて説明する。
図５に示すように、玄関扉の固定した扉に取り付けたストライク（３）の中へデットボルト（４）を挿入した時に玄関扉の鍵が掛かった状態になる。玄関扉を強く引いても、デットボルト（４）は強度に十分耐えられる容器（５）で支えた。
ストライク（３）の中へデットボルト（４）を挿入する時は、図５に示すように、デットボルト（４）の側面にある長さのラック（８）をネジで固定した。ストライク（３）の中からデットボルト（４）を抽出する時、デットボルト（４）の側面に取り付けてあるラック（８）が往復直線運動するには、ラック（８）と噛み合う相手のピニオン歯車（１４）が時計方向あるいは反時計方向に回転すれば良い。
このような動作を自動的にするために、図２ａに示すように、誘電体材料を円盤に加工して６等分に割り付けて両面四極円柱形永久磁石（１）が挿入できる穴をあける。図５に示すように、その穴に両面四極円柱形永久磁石（１）を挿入した。
両面四極円柱形永久磁石を多数用いた多極回路（１０ａ）の中心穴をウォームギヤ（１５）の軸に固定する。
両面四極円柱形永久磁石を６個用いた多極回路（１０ａ）を時計方向或いは反時計方向に回転すればウォームギヤ（１５）も同時に回転する。ウォームギヤ（１５）が回転すれば、ラック（８）が往復直線運動する。この往復直線運動でデットボルト（４）は挿入と抽出を繰り返す。
デットボルト（４）の挿入と抽出を繰り返すようにするには、両面四極円柱形永久磁石を６個用いた多極回路（１０ａ）と同じ外部多極回路を作成する。玄関扉の室外アルミニウム板の表面に沿って外部多極回路を多極回路（１０ａ）に近づけると、異極間には吸引力が生じる。この吸引力で外部多極回路を時計方向或いは反時計方向に回転すると、両面四極円柱形永久磁石を６個用いた多極回路（１０ａ）は回転する。この回転でデットボルト（４）は挿入と抽出を繰り返して玄関扉が開閉する。
もし、家人が両面四極円柱形永久磁石を６個用いた外部多極回路を紛失して他人の手に渡って悪利用されても、玄関扉が開閉しないようにする事ができる。図２ｂに示すように、６箇の両面四極円柱形永久磁石（１）の斜線（磁極面の磁極Ｎ）と斜線の無い（磁極面の磁極Ｓ）境界線の傾き角度を変える。傾き角度を変えると、磁極面の磁極はＮと磁極面の磁極はＳの位置が同時に変わって、多極回路（１０ａ）と外部多極回路は合わなくなる。玄関扉が開閉する事が出来ない。多極回路は膨大な数の暗証番号の組み合わせをする事ができる。また、玄関扉の開閉の振動で多極回路（１０ａ）に用いている両面四極円柱形永久磁石の側面をネジで止めて、ズレを起きないようにしている。しかし一日何十回の玄関扉の開閉が何ケ月も経過して少しズレると、暗証番号の組み合わせが変わる。その対策として、図２ｃに示すように、両面四極八角柱形永久磁石（２）を用いる。両面四極八角柱形永久磁石（２）を用いれば、玄関扉の開閉の振動でズレる心配はない。
もし万一暗証番号を解読されても、簡単に玄関扉が開閉出来ないように２重ロック回路も設けた。２重ロック回路の動作を詳細に述べる。
適当な厚みの金属板（６Ａ）を図３ｂに示すように加工した。図３ａに示すように、デットボルト（４）の後方にロック回路止め金具（７ｃ）をネジで取り付けた。
図３ａに示すように、デットボルト（４）を支える容器（５）の側面にロック回路が自由に可動出来るように軸受け（７ｄ）を設けた。
適当な厚みの金属板のロック回路（６Ａ）の先端の上に、誘電体容器の中に両面二極円柱形永久磁石（６ａ）を接合剤で接合した。永久磁石（６ａ）の上部の磁極面の磁極はＮ極で、下部の磁極面の磁極はＳ極である。ロック回路（６Ａ）が上にあがっても、直ぐ下にさがるように、永久磁石（６ａ）を下部に永久磁石（７ａ）を置いた。その両面二極長方形永久磁石（７ａ）の上部の磁極面の磁極はＮ極であり、永久磁石（６ａ）の下部の磁極面の磁極はＳ極で、異極間には吸引力が働く。この吸引力でロック回路（６Ａ）はロックされたままになる。
ロック回路（６Ｂ）の先端の上に、誘電体容器の中に両面二極円柱形永久磁石（６ｂ）を接合剤で接合した。永久磁石（６ｂ）の上部の磁極面の磁極はＳ極で、下部の磁極面の磁極はＮ極である。ロック回路（６Ａ）が上にあがっても、直ぐ下にさがるように永久磁石（６ｂ）を下部に永久磁石（７ｂ）を置いた。その両面二極長方形永久磁石（７ｂ）の磁極面の磁極はＳ極であり、永久磁石（６ｂ）の下部の磁極面の磁極はＮ極で、異極間には吸引力が働く。この吸引力でロック回路（６Ｂ）はロックされたままになる。
多極回路（１０ａ）を反時計方向に回転すると、デットボルト（４）は抽出しようとしても停止したままになる。それは図３に示すように、（ロック回路（６Ａと６Ｂ）は釣り具の銛のように逆さ向きにとがった形にした。）この逆さ向きにとがった形の部分がロック回路止め金具（７ｃ）に引っかかり、デットボルト（４）は抽出できない。換言すれば、デットボルト（４）はロックされたままである。逆さ向きにとがった形の部分をロック回路止め金具（７ｃ）から離すと、デットボルト（４）は抽出できる。この状態をロック解除と言う。
ロック回路止め金具（７ｃ）に、ロック回路（６Ａと６Ｂ）の釣り具の銛のような逆さ向きにとがった形の部分を引っかけたり、離したりを自動的にする方法を詳細に述べる。
ロックを解除する方法は外部磁石を２個用いて一つの磁極面の磁極をＳ極にし、もう一方の磁極面の磁極をＮ極にする。これらの２個の磁石を一対にして、玄関扉の室外アルミニウムの表面から永久磁石（６ａ）と（６ｂ）の位置に近づけると、ロック回路（６Ａと６Ｂ）は室外アルミニウムの表面に引き寄せられる。この状態をロックを解除したと言う。
もし両面二極外部磁石の磁極面の磁極はＳ極にして、この外部磁石の磁極面の磁極Ｓ極を１個用いて、玄関扉の室外アルミニウムの表面から永久磁石（６ａ）と（６ｂ）の位置に近づける。永久磁石（６ａ）のＮ極と外部磁石のＳ極は異極間になるので、吸引力が働く。この吸引力でロック回路（６Ａ）は室外アルミニウムの表面に引き寄せられる。
一方の永久磁石（６ｂ）の磁極面の磁極はＳ極である。永久磁石（６ｂ）のＳ極に外部磁石Ｓ極を近づけると同極間になるので、反発力が働く。この反発力でロック回路（６Ｂ）は室外アルミニウムの表面に引き寄せられない。ゆえにロック回路（６Ｂ）が残るので、デットボルト（４）はロックされたままである。
両面二極の外部磁石の磁極面の磁極をＮ極にして、この外部磁石の磁極面も磁極Ｎ極を１個用いて、玄関扉の室外アルミニウムの表面から永久磁石（６ａ）と（６ｂ）の位置に近づける。永久磁石（６ａ）のＮ極と、外部磁石のＮ極は同極間になるので、反発力が働く。この反発力でロック回路（６Ａ）は室外アルミニウムの表面に引き寄せられない。デットボルト（４）はロックされたままである。
一方の永久磁石（６ｂ）の磁極面の磁極はＳ極である。永久磁石（６ｂ）のＳ極に外部磁石Ｎ極を近づけると、異極間になるので、吸引力が働く。この吸引力でロック回路（６Ｂ）は室外アルミニウムの表面に引き寄せられる。しかし、デットボルト（４）はロックされたままである。
盗難防止用鍵の安全性をより一層高めるために、膨大な数の暗証番号の組み替えができる両面四極永久磁石を用いた多極回路（１０ａ）が必要である。さらに安全性を高めるに２重ロック回路も採用した。
いかなる方法を講じても玄関扉が開かないようにしても、破壊されて侵入する時もありうる。
盗難防止用鍵の安全性をより一層高めるために、膨大な暗証番号の組み替えられる両面四極永久磁石を用いた多極回路が必要になる。さらにロック回路（１３ａ）も採用した。
高性能盗難防止用鍵の装置であっても、バールで玄関扉の鍵の付近を壊されても、室内に侵入できない新しい盗難防止用鍵の装置を考案した。
図５に示すように、玄関扉の上部と中央部の２カ所の鍵が１箇の多極回路（１０ａ）で同時に作動するようにした。上部の鍵を作動する回転軸の途中にＷｈｅｅｌ  Ａｘｌｅを設けて、中央部の鍵が破壊されても、上部の鍵はそのまま残るので、室内の侵入を防ぐ事が出来る。
この盗難防止用鍵の動作について詳細に述べる。
図５に示すように、デットボルト（４）とストライク（３）及びデットボルトを支える容器（５）、
該ストライク（３）の中へデットボルト（４）を挿入する時に、デットボルト（４）の側面にある長さのラック（８）をネジで固定した。ストライク（３）の中からデットボルト（４）を抽出する時、デットボルト（４）の側面に取り付けてあるラック（８）が往復直線運動するには、ラック（８）と噛み合う相手のピニオン歯車（１４）が時計方向あるいは反時計方向に回転すればよい。
ピニオン歯車（１４）を時計方向或いは反時計方向に回転する軸の途中にＷｈｅｅｌ  Ａｘｌｅ（１６）を接合して、ウォームギヤ（１５）の軸に接続した。
図５に示すように、Ｗｈｅｅｌ  Ａｘｌｅ（１６）の軸は回転しても空回りしないようにピンで押さえ、相手の軸に挿入してある。
両面四極円柱形永久磁石を６個用いた多極回路（１０ａ）を時計方向或いは反時計方向に回転すれば、ウォームギヤ（１５）も同時に回転する。ウォームギヤ（１５）が回転すれば、上部と中央のラック（８）が往復直線運動して、上部と中央のデットボルト（４）は挿入と抽出を繰り返す。上部と中央のデットボルト（４）の挿入と抽出を繰り返すようにするには、図５に示すように、両面四極円柱形永久磁石を６個用いた多極回路（１０ａ）と同じ外部多極回路を作成する。玄関扉の室外アルミニウム板の表面に沿って外部多極回路を多極回路（１０ａ）に近づけると、異極間には吸引力が働く。この吸引力で外部多極回路を時計方向或いは反時計方向に回転すると、両面四極円柱形永久磁石を６個用いた多極回路（１０ａ）は回転する。この回転で上部と中央のデットボルト（４）は同時に挿入と抽出を繰り返して玄関扉が開閉する。
バールで玄関扉の中央の鍵の付近を壊された時は、その時の状態でウォームギヤ（１５）も含まれる。ウォームギヤ（１５）が壊れると、Ｗｈｅｅｌ  Ａｘｌｅ（１６）の軸が直ぐはずれるように設計してある。Ｗｈｅｅｌ  Ａｘｌｅ（１６）の軸が外れるだけで、上部の鍵はそのまま残るので、玄関扉を開ける事ができない。
盗難防止用鍵の安全性をより一層高めるために、膨大な数の暗証番号の組み替えできる両面四極永久磁石を用いた多極回路（１０ａ）が必要になる。さらに安全性を高めるに、２重ロック回路（６ａと６ｂ）と上部の鍵にＷｈｅｅｌ  Ａｘｌｅ（１６）の軸を採用した。
以上詳細に述べたように、防犯に十二分に配慮した設計で信頼性の高い高性能盗難防止用鍵の装置。
このような鍵を利用すると、玄関扉の室外には鍵穴がないので侵入できない。
【産業上の利用可能性】
【００１３】  本発明は、玄関扉に鍵穴は無く、扉の室外にはハンドルだけである。玄関扉の室外と室内の枠内に、防犯に十二分に配慮して設計した信頼性の高い高性能盗難防止用鍵を装荷する。  図５に示すように、玄関扉の上部と中央部の２カ所の鍵が１箇の多極回路（１０ａ）で同時に作動するようにした。
図５に示すように、玄関扉の上部と中央部の２カ所のストライク（３）の中からデットボルト（４）を抽出するには、両面四極円柱形永久磁石を６個用いた多極回路（１０ａ）と同じ外部多極回路を作成する。玄関扉の室外アルミニウム板の表面に沿って外部多極回路を多極回路（１０ａ）に近づけると、異極間には吸引力が生じる。この吸引力で外部多極回路を時計方向或いは反時計方向に回転すると、両面四極円柱形永久磁石を６個用いた多極回路（１０ａ）は回転する。この回転で上部と中央部の２カ所のデットボルト（４）は挿入と抽出を繰り返して玄関扉が開閉する。
バールで玄関扉の中央の鍵の付近を壊された時は、その時の状態でウォームギヤ（１５）も含まれる。ウォームギヤ（１５）が壊れるとＷｈｅｅｌ  Ａｘｌｅ（１６）の軸が直ぐはずれるように設計した。Ｗｈｅｅｌ  Ａｘｌｅ（１６）の軸が外れるだけで、上部の鍵はそのまま残るので、玄関扉を開ける事ができない。
もし、家人が両面四極円柱形永久磁石を６個用いた外部多極回路を紛失して他人の手に渡って悪利用されても、玄関扉が開閉しないように２重ロック回路を設けた。
ロックを解除する方法は外部磁石を２個用いて一つの磁極面の磁極をＳ極にし、もう一方の磁極面の磁極をＮ極にする。これらの２個の磁石を一対にして、玄関扉の室外アルミニウムの表面から永久磁石（６ａ）と（６ｂ）の位置に近づけると、ロック回路（６Ａと６Ｂ）は室外アルミニウムの表面に引き寄せられる。この状態をロックを解除したと言う。
２重ロック回路を解除する外部磁石と、両面四極円柱形永久磁石を６個用いた外部多極回路を用いて玄関扉を開閉する。
゛安心した日々を送れるように″、防犯には十二分に配慮した設計で信頼性の高い高性能盗難防止用鍵の装置に関するものである。
【図面の簡単な説明】
【００１４】
【図１】  本発明に関する信頼性の高い高性能盗難防止用鍵を使用したために玄関扉に鍵穴がない。
【図２】  本発明に関する構造図である。
【図３】  本発明の実施の一例を示す構造の全体図である。
【図４】  本発明の実施の一例を示す構造の全体図である。
【図５】  本発明の実施の一例を示す構造の全体図である。
【符号の説明】
【００１５】  １    両面四極円柱形永久磁石
２    両面四極八角柱形永久磁石
３    ストライク
４    デットボルト
５    デットボルトを支える容器
６Ａ  ロック回路
６Ｂ  ロック回路
６ａ  両面二極円柱形永久磁石
６ｂ  両面二極円柱形永久磁石
７ａ  両面二極長方形永久磁石
７ｂ  両面二極長方形永久磁石
７ｃ  ロック止め金具
７ｄ  ロック回路の軸受け
８    ラック
９    平歯車
１０ａ  両面四極円柱形永久磁石を
多数用いた多極回路
１０ｂ  両面二極円柱形永久磁石を
多数用いた多極回路
１１    両面二極円柱形永久磁石
１２  ベアリング
１３ａ  挿入と抽出出来るロック回路
１３ｂ  １３ａを支える容器
１４    ピニオン歯車
１５    ウォーム・ギヤ
１６    Ｗｈｅｅｌ  Ａｘｌｅ
【図１】
2007040082.tif 000003
【図２】
2007040082.tif 000004
【図３】
2007040082.tif 000005
【図４】
2007040082.tif 000006
【図５】
2007040082.tif 000007